(57)【要約】【課題】周期的に設けられる、登録済みのＯＮＵとＯＬＴとの間の通信を禁止するディスカバリウィンドウの幅を狭くし、回線効率を高める。【解決手段】先ず、ディスカバリゲート信号を受信する（Ｓ１０）。次に、ディスカバリゲート信号の受信に応答して、ディスカバリフラグがオンであるかオフであるかを判定する（Ｓ２０）。次に、ディスカバリフラグがオンであるときは、ランダムディレイを挿入し（Ｓ３０）、ディスカバリフラグがオフであるときは、ディスカバリフラグをオンにして（Ｓ４０）、レジスタリクエスト信号を局側装置に対して送信する（Ｓ５０）。次に、局側装置から受信する信号が、レジスタ信号であるかディスカバリゲート信号であるかを判定する（Ｓ６０）。信号がレジスタ信号であるときは、ディスカバリフラグをオフにして登録を完了し、信号がディスカバリゲート信号であるときは、再びディスカバリフラグを判定する過程を行う。【選択図】図３
2010278525.tif 000002
【特許請求の範囲】
【請求項１】
１個の局側装置と複数の加入者端末で構成されるネットワークにおいて、未登録の加入者端末を登録する方法であって、
前記未登録の加入者端末で行われる、
ディスカバリゲート信号を受信するディスカバリゲート受信過程と、
前記ディスカバリゲート信号の受信に応答して、ディスカバリフラグがオンであるかオフであるかを判定するディスカバリフラグ判定過程と、
前記ディスカバリフラグがオンであるときは、ランダムディレイを挿入し、前記ディスカバリフラグがオフであるときは、ディスカバリフラグをオンにして、レジスタリクエスト信号を前記局側装置に対して送信するレジスタリクエスト送信過程と、
前記局側装置から受信する信号が、レジスタ信号であるかディスカバリゲート信号であるかを判定する信号判定過程と
を備え、
前記信号がレジスタ信号であるときは、ディスカバリフラグをオフにして登録を完了し、前記信号がディスカバリゲート信号であるときは、前記ディスカバリフラグ判定過程を行う
ことを特徴とする加入者端末登録方法。
【請求項２】
１個の局側装置と複数の加入者端末で構成されるネットワークにおいて、未登録の加入者端末を登録する方法であって、
前記未登録の加入者端末で行われる、
ディスカバリゲート信号を受信するディスカバリゲート受信過程と、
前記ディスカバリゲート信号の受信に応答して、失敗フラグがオンであるかオフであるかを判定する失敗フラグ判定過程と、
前記失敗フラグがオンであるときは、ランダムディレイを挿入し、前記失敗フラグがオフであるときは、ランダムディレイを非挿入として、レジスタリクエスト信号を前記局側装置に対して送信するレジスタリクエスト送信過程と、
前記局側装置から受信する信号が、レジスタ信号であるかディスカバリゲート信号であるかを判定する信号判定過程と
を備え、
前記信号がレジスタ信号であるときは、登録を完了し、前記信号がディスカバリゲート信号であるときは、失敗フラグをオンとして前記失敗フラグ判定過程を行う
ことを特徴とする加入者端末登録方法。
【請求項３】
１個の局側装置と複数の加入者端末で構成されるネットワークにおいて、未登録の加入者端末を登録する方法であって、
全ての加入者端末を同時に登録する場合は、
前記未登録の加入者端末で、
ディスカバリゲート信号を受信するディスカバリゲート受信過程と、
前記ディスカバリゲート信号の受信に応答して、失敗フラグがオンであるかオフであるかを判定する失敗フラグ判定過程と、
前記失敗フラグがオンであるときは、ランダムディレイを挿入し、前記失敗フラグがオフであるときは、ランダムディレイを非挿入として、レジスタリクエスト信号を前記局側装置に対して送信するレジスタリクエスト送信過程と、
前記局側装置から受信する信号が、レジスタ信号であるかディスカバリゲート信号であるかを判定する信号判定過程と
を行い、
前記信号がレジスタ信号であるときは、登録を完了し、前記信号がディスカバリゲート信号であるときは、失敗フラグをオンとして前記失敗フラグ判定過程を行い、
加入者端末を個別に登録する場合は、前記未登録の加入者端末で、
ディスカバリゲート信号を受信するディスカバリゲート受信過程と、
前記ディスカバリゲート信号の受信に応答して、ディスカバリフラグがオンであるかオフであるかを判定するディスカバリフラグ判定過程と、
前記ディスカバリフラグがオンであるときは、ランダムディレイを挿入し、前記ディスカバリフラグがオフであるときは、ディスカバリフラグをオンにして、レジスタリクエスト信号を前記局側装置に対して送信するレジスタリクエスト送信過程と、
前記局側装置から受信する信号が、レジスタ信号であるかディスカバリゲート信号であるかを判定する信号判定過程と
を行い、
前記信号がレジスタ信号であるときは、ディスカバリフラグをオフにして登録を完了し、前記信号がディスカバリゲート信号であるときは、前記ディスカバリフラグ判定過程を行う
ことを特徴とする加入者端末登録方法。
【請求項４】
全ての前記加入者端末を同時に登録する場合は、前記局側装置で、ディスカバリウィンドウを拡幅する
ことを特徴とする請求項１〜３のいずれか一項に記載の加入者端末登録方法。
【請求項５】
前記加入者端末の登録可能台数が多いときは、前記局側装置において、ディスカバリウィンドウの幅を大きくし、登録可能台数が少ないときは、ディスカバリウィンドウの幅を小さくする
ことを特徴とする請求項１〜３のいずれか一項に記載の加入者端末登録方法。
【請求項６】
前記加入者端末の登録可能台数が多いときは、前記局側装置において、ディスカバリゲートの送信周期を短くし、登録可能台数が少ないときは、ディスカバリゲートの送信周期を長くする
ことを特徴とする請求項１〜３のいずれか一項に記載の加入者端末登録方法。
【請求項７】
１つの局側装置が、複数の加入者端末に接続されて構成されるネットワークで用いられ、
ディスカバリフラグが格納される記憶部と、
前記局側装置へ送信する信号の制御を行う加入者側制御部と
を備え、
前記加入者側制御部は、
前記ディスカバリフラグがオンであるかオフであるかを判定するディスカバリフラグ判定手段と、
前記ディスカバリフラグがオンであるとき、ランダムディレイを生成して、信号を送信するタイミングを制御するランダムディレイ挿入手段と、
前記ディスカバリフラグをオン及びオフのいずれかに設定するディスカバリフラグ更新手段と、  
前記局側装置から受信する信号が、レジスタ信号であるかディスカバリゲート信号であるかを判定する信号判定手段と
を備えることを特徴とする加入者端末。
【請求項８】
１つの局側装置が、複数の加入者端末に接続されて構成されるネットワークで用いられ、
失敗フラグが格納される記憶部と、
局側装置へ送信する信号の制御を行う加入者側制御部と
を備え、
前記加入者側制御部は、
前記失敗フラグがオンであるかオフであるかを判定する失敗フラグ判定手段と、
前記失敗フラグがオンであるとき、ランダムディレイを生成して、信号を送信するタイミングを制御するランダムディレイ挿入手段と、
前記失敗フラグをオンに設定する失敗フラグ更新手段と、  
前記局側装置から受信する信号が、レジスタ信号であるかディスカバリゲート信号であるかを判定する信号判定手段と
を備えることを特徴とする加入者端末。
【請求項９】
１つの局側装置が、複数の加入者端末に接続されて構成されるネットワークで用いられ、
ディスカバリフラグ及び失敗フラグが格納される記憶部と、
局側装置へ送信する信号の制御を行う加入者側制御部と
を備え、
前記加入者側制御部は、
前記ディスカバリフラグがオンであるかオフであるかを判定するディスカバリフラグ判定手段と、
前記失敗フラグがオンであるかオフであるかを判定する失敗フラグ判定手段と、
前記ディスカバリフラグがオンであるとき、あるいは前記失敗フラグがオンであるとき、ランダムディレイを生成して、信号を送信するタイミングを制御するランダムディレイ挿入手段と、
前記ディスカバリフラグをオン及びオフのいずれかに設定するディスカバリフラグ更新手段と、  
前記失敗フラグをオンに設定する失敗フラグ更新手段と、  
前記局側装置から受信する信号が、レジスタ信号であるかディスカバリゲート信号であるかを判定する信号判定手段と
を備えることを特徴とする加入者端末。
【請求項１０】
前記ネットワークに登録された加入者端末の全てを再登録するか否かを判定する再登録判定手段
をさらに備えることを特徴とする請求項９に記載の加入者端末。
【請求項１１】
前記失敗フラグが格納される記憶部が、不揮発性メモリである
ことを特徴とする請求項８〜１０のいずれか一項に記載の加入者端末。
【請求項１２】
１つの局側装置が、複数の加入者端末に接続されて構成されるネットワークであって、
前記加入者端末は、ディスカバリフラグが格納される記憶部と、局側装置へ送信する信号の制御を行う加入者側制御部とを備え、
前記加入者側制御部は、
前記ディスカバリフラグがオンであるかオフであるかを判定するディスカバリフラグ判定手段と、
前記ディスカバリフラグがオンであるとき、ランダムディレイを生成して、信号を送信するタイミングを制御するランダムディレイ挿入手段と、
前記ディスカバリフラグをオン及びオフのいずれかに設定するディスカバリフラグ更新手段と、  
前記局側装置から受信する信号が、レジスタ信号であるかディスカバリゲート信号であるかを判定する信号判定手段と
を備えることを特徴とするネットワーク。
【請求項１３】
１つの局側装置が、複数の加入者端末に接続されて構成されるネットワークであって、
前記加入者端末は、失敗フラグが格納される記憶部と、局側装置へ送信する信号の制御を行う加入者側制御部とを備え、
前記加入者側制御部は、
前記失敗フラグがオンであるかオフであるかを判定する失敗フラグ判定手段と、
前記失敗フラグがオンであるとき、ランダムディレイを生成して、信号を送信するタイミングを制御するランダムディレイ挿入手段と、
前記失敗フラグをオンに設定する失敗フラグ更新手段と、  
前記局側装置から受信する信号が、レジスタ信号であるかディスカバリゲート信号であるかを判定する信号判定手段と
を備えることを特徴とするネットワーク。
【請求項１４】
１つの局側装置が、複数の加入者端末に接続されて構成されるネットワークであって、
前記加入者端末は、ディスカバリフラグ及び失敗フラグが格納される記憶部と、局側装置へ送信する信号の制御を行う加入者側制御部とを備え、
前記加入者側制御部は、
前記ディスカバリフラグがオンであるかオフであるかを判定するディスカバリフラグ判定手段と、
前記失敗フラグがオンであるかオフであるかを判定する失敗フラグ判定手段と、
前記ディスカバリフラグがオンであるとき、あるいは前記失敗フラグがオンであるとき、ランダムディレイを生成して、信号を送信するタイミングを制御するランダムディレイ挿入手段と、
前記ディスカバリフラグをオン及びオフのいずれかに設定するディスカバリフラグ更新手段と、  
前記失敗フラグをオンに設定する失敗フラグ更新手段と、  
前記局側装置から受信する信号が、レジスタ信号であるかディスカバリゲート信号であるかを判定する信号判定手段と
を備えることを特徴とするネットワーク。
【請求項１５】
当該ネットワークに登録された加入者端末の全てを再登録するか否かを判定する再登録判定手段
をさらに備えることを特徴とする請求項１４に記載のネットワーク。
【請求項１６】
前記失敗フラグが格納される記憶部が、不揮発性メモリである
ことを特徴とする請求項１３〜１５のいずれか一項に記載のネットワーク。
【請求項１７】
前記局側装置が、全ての加入者端末を再登録する場合に、ディスカバリウィンドウを拡幅するディスカバリウィンドウ変更手段を
有することを特徴とする請求項１２〜１６のいずれか一項に記載のネットワーク。
【請求項１８】
前記局側装置が、加入者端末の登録可能台数が多いときは、ディスカバリウィンドウの幅を大きくし、登録可能台数が少ないときは、ディスカバリウィンドウの幅を小さくするディスカバリウィンドウ変更手段を
有することを特徴とする請求項１２〜１６のいずれか一項に記載のネットワーク。
【請求項１９】
前記局側装置が、加入者端末の登録可能台数が多いときは、ディスカバリゲートの送信周期を短くし、登録可能台数が少ないときは、ディスカバリゲートの送信周期を長くするディスカバリ周期変更手段
を有することを特徴とする請求項１２〜１６のいずれか一項に記載のネットワーク。
【発明の詳細な説明】
【技術分野】
【０００１】
この発明は、１つの局側装置と複数の加入者端末で構成されるネットワーク、特に、局側装置と加入者端末を光ファイバ網で接続するＰＯＮ（Ｐａｓｓｉｖｅ  Ｏｐｔｉｃａｌ  Ｎｅｔｗｏｒｋ）システムにおける加入者端末登録方法、加入者端末及びネットワークに関する。
【背景技術】
【０００２】
ＰＯＮシステムは、光ネットワークであって、インターネット接続サービス、ＩＰ電話、映像配信サービスなどインターネットプロトコル（ＩＰ：Ｉｎｔｅｒｎｅｔ  Ｐｒｏｔｏｃｏｌ）を使用した各種サービスを提供することができる。
【０００３】
図７を参照して、ＰＯＮシステムの構成について説明する。図７は、ＰＯＮシステムの概略構成図である。ＰＯＮシステム１００では、キャリアの局舎に設置される局側装置（ＯＬＴ：Ｏｐｔｉｃａｌ  Ｌｉｎｅ  Ｔｅｒｍｉｎａｌ）２００と、加入者宅に設置される複数の加入者端末（ＯＮＵ：Ｏｐｔｉｃａｌ  Ｎｅｔｗｏｒｋ  Ｕｎｉｔ）３００が、１本の光ファイバから光スプリッタ４００を介して複数の光ファイバに分岐する光ファイバ網で接続されている。
【０００４】
ＰＯＮシステムの中で、Ｅｔｈｅｒｎｅｔ（登録商標）技術を使用したものをＥｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。
【０００５】
ＧＥ−ＰＯＮシステムにおいて、ＯＬＴ２００とＯＮＵ３００の間の通信を行うためには、ＯＬＴ２００にＯＮＵ３００を登録する必要がある。ＧＥ−ＰＯＮシステムでは、１つのＯＬＴ２００に対して、複数のＯＮＵ３００が接続されているため、新たなＯＮＵ３００の登録は、他の登録済みのＯＮＵ３００とＯＬＴ２００の間の通信に影響することなく行われる必要がある。そのため、上記ＩＥＥＥ８０２．３ａｈ（以下、標準と称する。）では、未登録のＯＮＵがＯＬＴに検出され、登録される手順（以下、ディスカバリシーケンスと称する。）が規定されている。
【０００６】
図８を参照して、標準でのディスカバリシーケンスを説明する。
【０００７】
ＯＬＴ２００は、周期的にディスカバリゲート信号をブロードキャスト送信する。ディスカバリゲート信号が送信される周期をディスカバリ周期と称する。ディスカバリゲート信号は、ＯＮＵ３００が登録されているか否かに関らず、全てのＯＮＵ３００に対して送信される。ＰＯＮシステム１００に新たに接続されたＯＮＵ３００は、電源がＯＮ状態になり、信号の受信が可能な状態になると、周期的にディスカバリゲート信号を受信する。
【０００８】
未登録のＯＮＵ３００では、ディスカバリゲート信号を受信すると、ＯＬＴ２００に対して登録を要求するレジスタリクエスト信号を送信する。レジスタリクエスト信号には、各ＯＮＵ３００の個体識別番号としてのＭＡＣアドレスが含まれている。
【０００９】
ここで、複数のＯＮＵ３００の登録が同時に行われる場合、複数のＯＮＵ３００からのレジスタリクエスト信号が衝突して、ＯＬＴ２００がレジスタリクエスト信号を認識できなくなる恐れがある。そこで、各ＯＮＵ３００は、ディスカバリゲート信号の受信に応答して、乱数演算を行い、ランダムディレイを挿入して送信タイミングを設定して、レジスタリクエスト信号の衝突を防止する。
【００１０】
一方、ＯＬＴ２００では、ディスカバリウィンドウが設定されていて、ＯＬＴ２００は、このウィンドウが開いている時間の間、レジスタリクエスト信号の受信を待つ。なお、ＯＮＵ３００で設定されるランダムディレイの大きさは、ＯＬＴ２００におけるレジスタリクエスト信号の受信が、ディスカバリウィンドウが開いている時間の間でされるように設定される。
【００１１】
ＯＬＴ２００は、レジスタリクエスト信号を受信することで、ＯＮＵ３００のＭＡＣアドレスを認識する。ＯＬＴ２００は、認識したＭＡＣアドレスを有するＯＮＵ３００宛に、レジスタ信号を送る。レジスタ信号には、ＰＯＮシステム１００におけるリンク番号（ＬＬＩＤ）が含まれている。  
【００１２】
また、ＯＬＴ２００は、レジスタ信号の送信に続いて、送信帯域及び送信タイミングを通知して、上り信号の送信を許可するゲート信号をＯＮＵ３００に送る。
【００１３】
ゲート信号を受信したＯＮＵ３００は、レジスタアック（ＡＣＫ）信号をＯＬＴ２００に対して送信する。ＯＬＴ２００がレジスタアック信号を受信すると、ＯＮＵ３００の登録が完了する、すなわち、ディスカバリシーケンスが終了する（例えば、特許文献１参照）。
【００１４】
ＯＮＵが登録された後は、ＯＬＴ−ＯＮＵ間で、通常の通信が行われる。
【先行技術文献】
【特許文献】
【００１５】
【特許文献１】特開２００７−２４３２８４号公報（段落００５１〜００５５）
【発明の概要】
【発明が解決しようとする課題】
【００１６】
ここで、ディスカバリウィンドウの時間幅は、ＯＮＵの内部処理時間、ＯＬＴとＯＮＵとの行路差、ランダムディレイの最大値等から算出して決定するのが一般的である。ランダムディレイの最大値は、レジスタリクエスト信号の衝突を防ぐために、当該ＰＯＮシステムに収容可能なＯＮＵの最大数などに基づいて定められる。
【００１７】
ディスカバリシーケンスが、既に登録済みのＯＮＵとＯＬＴの間の通信に影響を与えないように、ディスカバリウィンドウが開いている時間の間は、登録済みのＯＮＵとＯＬＴとの間の通信は禁止されている。また、ＯＮＵがいつ接続されても、登録できるように、ＯＬＴは、ディスカバリ周期ごとにディスカバリゲート信号を送信し、ディスカバリシーケンスを行う。
【００１８】
従って、この周期的に行われるディスカバリシーケンスにより、周期的に通信ができない時間が発生し、回線効率が低下するという問題がある。例えば、ディスカバリ周期を１ｍｓｅｃ、ディスカバリウィンドウ幅を２００μｓとすると、回線効率が２％程度低下するので、１Ｇｂｉｔの通信をする場合は、２０ＭＢｉｔが無駄になる。
【００１９】
この発明は、上述の問題点に鑑みてなされたものであり、この発明の目的は、ＯＮＵを登録する際に、通常はランダムディレイを挿入せず、衝突が起こった場合にランダムディレイを挿入する構成にすることで、ディスカバリウィンドウの幅を狭くし、回線効率を高める、加入者端末登録方法、加入者端末及びネットワークを提供することである。
【課題を解決するための手段】
【００２０】
上述した目的を達成するために、この発明の加入者端末登録方法は、１個の局側装置と複数の加入者端末で構成されるネットワークにおいて、未登録の加入者端末を登録する方法であって、未登録の加入者端末で行われる、以下の過程を備えている。
【００２１】
先ず、ディスカバリゲート受信過程において、ディスカバリゲート信号を受信する。次に、ディスカバリフラグ判定過程において、ディスカバリゲート信号の受信に応答して、ディスカバリフラグがオンであるかオフであるかを判定する。次に、レジスタリクエスト送信過程において、ディスカバリフラグがオンであるときは、ランダムディレイを挿入し、ディスカバリフラグがオフであるときは、ディスカバリフラグをオンにして、レジスタリクエスト信号を局側装置に対して送信する。次に、信号判定過程において、局側装置から受信する信号が、レジスタ信号であるかディスカバリゲート信号であるかを判定する。
【００２２】
信号がレジスタ信号であるときは、ディスカバリフラグをオフにして登録を完了し、信号がディスカバリゲート信号であるときは、再びディスカバリフラグ判定過程を行う。
【００２３】
この発明の加入者端末登録方法の他の好適実施形態によれば、未登録の加入者端末で行われる、以下の過程を備えている。
【００２４】
先ず、ディスカバリゲート受信過程において、ディスカバリゲート信号を受信する。次に、失敗フラグ判定過程において、ディスカバリゲート信号の受信に応答して、失敗フラグがオンであるかオフであるかを判定する。次に、レジスタリクエスト送信過程において、失敗フラグがオンであるときは、ランダムディレイを挿入し、失敗フラグがオフであるときは、ランダムディレイを非挿入として、レジスタリクエスト信号を局側装置に対して送信する。次に、信号判定過程において、局側装置から受信する信号が、レジスタ信号であるかディスカバリゲート信号であるかを判定する。
【００２５】
信号がレジスタ信号であるときは、登録を完了し、信号がディスカバリゲート信号であるときは、失敗フラグをオンとした後、再び失敗フラグ判定過程を行う。
【００２６】
また、この発明の加入者端末登録方法の他の好適実施形態によれば、未登録の加入者端末で行われる、以下の過程を備えている。
【００２７】
全ての加入者端末を同時に登録する場合は、未登録の加入者端末で、以下の過程を行う。
【００２８】
先ず、ディスカバリゲート受信過程において、ディスカバリゲート信号を受信する。次に、失敗フラグ判定過程において、ディスカバリゲート信号の受信に応答して、失敗フラグがオンであるかオフであるかを判定する。次に、レジスタリクエスト送信過程において、失敗フラグがオンであるときは、ランダムディレイを挿入し、失敗フラグがオフであるときは、ランダムディレイを非挿入として、レジスタリクエスト信号を局側装置に対して送信する。次に、信号判定過程において、局側装置から受信する信号が、レジスタ信号であるかディスカバリゲート信号であるかを判定する。
【００２９】
信号がレジスタ信号であるときは、登録を完了し、信号がディスカバリゲート信号であるときは、失敗フラグをオンとした後、再び失敗フラグ判定過程を行う。
【００３０】
一方、各加入者端末を個別に登録する場合は、未登録の加入者端末で、以下の過程を行う。
【００３１】
先ず、ディスカバリゲート受信過程において、ディスカバリゲート信号を受信する。次に、ディスカバリフラグ判定過程において、ディスカバリゲート信号の受信に応答して、ディスカバリフラグがオンであるかオフであるかを判定する。次に、レジスタリクエスト送信過程において、ディスカバリフラグがオンであるときは、ランダムディレイを挿入し、ディスカバリフラグがオフであるときは、ディスカバリフラグをオンにして、レジスタリクエスト信号を局側装置に対して送信する。次に、信号判定過程において、局側装置から受信する信号が、レジスタ信号であるかディスカバリゲート信号であるかを判定する。
【００３２】
信号がレジスタ信号であるときは、ディスカバリフラグをオフにして登録を完了し、信号がディスカバリゲート信号であるときは、再びディスカバリフラグ判定過程を行う。
【００３３】
上述した加入者端末登録方法の実施にあたり、全ての加入者端末を同時に登録する場合は、局側装置で、ディスカバリウィンドウを拡幅するのが良い。
【００３４】
また、加入者端末の登録可能台数が多いときは、局側装置において、ディスカバリウィンドウの幅を大きくし、登録可能台数が少ないときは、ディスカバリウィンドウの幅を狭くするのが良い。
【００３５】
また、加入者端末の登録可能台数が多いときは、局側装置において、ディスカバリゲートの送信周期を短くし、登録可能台数が少ないときは、ディスカバリゲートの送信周期を長くしてもよい。
【００３６】
また、上述した目的を達成するために、この発明の、１つの局側装置が複数の加入者端末に接続されて構成されるネットワークで用いられる加入者端末は、ディスカバリフラグが格納される記憶部と、局側装置へ送信する信号の制御を行う加入者側制御部とを備えて構成される。
【００３７】
加入者側制御部は、ディスカバリフラグ判定手段と、ランダムディレイ挿入手段と、ディスカバリフラグ更新手段と、信号判定手段とを備えて構成される。
【００３８】
ディスカバリフラグ判定手段は、ディスカバリフラグがオンであるかオフであるかを判定する。ランダムディレイ挿入手段は、ディスカバリフラグがオンのとき、ランダムディレイを生成して、信号を送信するタイミングを制御する。ディスカバリフラグ更新手段は、ディスカバリフラグをオン及びオフのいずれかに設定する。信号判定手段は、局側装置から受信する信号が、レジスタ信号であるかディスカバリゲート信号であるかを判定する。
【００３９】
また、この発明の加入者端末の他の好適実施形態によれば、失敗フラグが格納される記憶部と、局側装置へ送信する信号の制御を行う加入者側制御部とを備えて構成されるのが良い。
【００４０】
加入者側制御部は、失敗フラグ判定手段と、ランダムディレイ挿入手段と、失敗フラグ更新手段と、信号判定手段とを備えて構成される。
【００４１】
失敗フラグ判定手段は、失敗フラグがオンであるかオフであるかを判定する。ランダムディレイ挿入手段は、失敗フラグがオンであるとき、ランダムディレイを生成して、信号を送信するタイミングを制御する。失敗フラグ更新手段は、失敗フラグをオンに設定する。信号判定手段は、局側装置から受信する信号が、レジスタ信号であるかディスカバリゲート信号であるかを判定する。
【００４２】
また、この発明の加入者端末の他の好適実施形態によれば、ディスカバリフラグ及び失敗フラグが格納される記憶部と、局側装置へ送信する信号の制御を行う加入者側制御部とを備えて構成されるのが良い。
【００４３】
加入者側制御部は、ディスカバリフラグ判定手段と、失敗フラグ判定手段と、ランダムディレイ挿入手段と、ディスカバリフラグ更新手段と、失敗フラグ更新手段と、信号判定手段と、再登録判定手段とを備えて構成される。
【００４４】
ディスカバリフラグ判定手段は、ディスカバリフラグがオンであるかオフであるかを判定する。失敗フラグ判定手段は、失敗フラグがオンであるかオフであるかを判定する。ランダムディレイ挿入手段は、ディスカバリフラグがオンのとき、あるいは、失敗フラグがオンのとき、ランダムディレイを生成して、信号を送信するタイミングを制御する。ディスカバリフラグ更新手段は、ディスカバリフラグをオン及びオフのいずれかに設定する。失敗フラグ更新手段は、失敗フラグをオンに設定する。信号判定手段は、局側装置から受信する信号が、レジスタ信号であるかディスカバリゲート信号であるかを判定する。再登録判定手段は、ネットワークに登録された加入者端末の全てを再登録するか否かを判定する。
【００４５】
このとき、失敗フラグが格納される記憶部が、不揮発性メモリであるのが良い。
【００４６】
また、上述した目的を達成するため、この発明の、１つの局側装置が複数の加入者端末に接続されて構成されるネットワークは、加入者端末として、上述した加入者端末を備えるのが良い。
【００４７】
また、局側装置が、全ての加入者端末を同時に登録する場合に、ディスカバリウィンドウを拡幅するディスカバリウィンドウ変更手段を有するのが良い。また、局側装置が、加入者端末の登録可能台数が多いときは、ディスカバリウィンドウの幅を大きくし、登録可能台数が少ないときは、ディスカバリウィンドウの幅を小さくするディスカバリウィンドウ変更手段を有するのが良い。また、局側装置が、加入者端末の登録可能台数が多いときは、ディスカバリゲートの送信周期を短くし、登録可能台数が少ないときは、ディスカバリゲートの送信周期を長くするディスカバリ周期変更手段を有するのが良い。
【発明の効果】
【００４８】
この発明の加入者端末登録方法、加入者端末及びネットワークによれば、複数のＯＮＵが同時に接続され、それらのディスカバリシーケンスにおいて、衝突が起こった時にランダムディレイを挿入し、それ以外のときは、ランダムディレイを挿入しない。このため、ディスカバリウィンドウの幅を狭くすることができ、それにより、伝送可能帯域を広げ、通信効率を向上させることができる。
【００４９】
また、通信効率を向上させると、通信機器の消費電力の低減する効果も得られ、さらに、局舎の電源設備の縮小化及び空冷施設の縮小化や、これに伴う、さらなる消費電力の低減も可能となる。
【図面の簡単な説明】
【００５０】
【図１】ＯＬＴの概略構成図である。
【図２】ＯＮＵの概略構成図（１）である。
【図３】第１実施形態の登録方法を説明するための処理フローである。
【図４】第１実施形態の登録方法を説明するためのシーケンス図である。
【図５】ＯＮＵの概略構成図（２）である。
【図６】第２実施形態の登録方法を説明するための処理フローである。
【図７】ＰＯＮシステムの概略構成図である。
【図８】従来の登録方法を説明するためのシーケンス図である。
【発明を実施するための形態】
【００５１】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００５２】
（第１実施形態の構成）
図１を参照してＯＬＴの構成について説明する。ＯＬＴ２００は、上位ネットワーク側受信部２０２、上位ネットワーク側送信部２０４、データ中継処理部２０６、ＰＯＮ側受信部２１２、ＰＯＮ側送信部２１４、光受信部２２２、光送信部２２４、合分波部２３０、制御信号処理部２４０及び記憶部２５０を備えている。
【００５３】
上位ネットワーク側受信部２０２は、上位ネットワークから下りフレームを受信し、この下りフレームをデータ中継処理部２０６に送る。データ中継処理部２０６は受け取った下りフレームをＰＯＮ側送信部２１４に送る。ＰＯＮ側送信部２１４では、受け取った下りフレームを符号化した後、光送信部２２４に送る。光送信部２２４は、例えばレーザダイオード（ＬＤ）など、任意好適な電気／光変換手段を有して構成され、符号化された下りフレームを所定の波長の光信号に変換する。光送信部２２４で生成された光信号は、合分波部２３０を経て、各ＯＮＵ３００に送られる。
【００５４】
一方、各ＯＮＵ３００から送られた光信号は、合分波部２３０を経て光受信部２２２に送られる。光受信部２２２は、フォトダイオード（ＰＤ）など任意好適な光電変換素子を備えて構成され、光信号を電気信号に変換する。変換された電気信号は、ＰＯＮ側受信部２１２に送られる。ＰＯＮ側受信部２１２は、電気信号を復号化して、上りフレームを復元する。復元された上りフレームは、データ中継処理部２０６を経て上位ネットワーク側送信部２０４に送られる。上位ネットワーク側送信部２０４は、上りフレームを上位ネットワークに送信する。
【００５５】
なお、ＯＬＴ２００は、制御信号処理部２４０を備えている。制御信号処理部２４０は、上り信号の送信帯域及び送信タイミングの制御など、ＯＬＴとＯＮＵの間で送受信される信号に関する制御を行う。
【００５６】
図２を参照して、ＯＮＵの構成について説明する。ＯＮＵ３００は、ユーザネットワーク側受信部３０２、ユーザネットワーク側送信部３０４、データ中継処理部３０６、ＰＯＮ側受信部３１２、ＰＯＮ側送信部３１４、光受信部３２２、光送信部３２４、合分波部３３０、制御信号処理部３４０及び記憶部３５０を備えている。
【００５７】
ＯＬＴ２００から送られた下り光信号は、合分波部３３０を経て光受信部３２２に送られる。光受信部３２２は、フォトダイオード（ＰＤ）など任意好適な光電変換素子を備えて構成され、光信号を電気信号に変換する。変換された電気信号は、ＰＯＮ側受信部３１２に送られる。ＰＯＮ側受信部３１２は、電気信号を復号化して、下りフレームを復元する。復元された下りフレームは、データ中継処理部３０６を経てユーザネットワーク側送信部３０４に送られる。ユーザネットワーク側送信部３０４は、下りフレームをユーザネットワークに送信する。
【００５８】
一方、ユーザネットワーク側受信部３０２は、ユーザネットワークから上りフレームを受信し、この上りフレームをデータ中継処理部３０６に送る。データ中継処理部３０６は受け取った上りフレームをＰＯＮ側送信部３１４に送る。ＰＯＮ側送信部３１４では、受け取った上りフレームを符号化した後、光送信部３２４に送る。光送信部３２４は、例えばレーザダイオード（ＬＤ）など、任意好適な電気／光変換手段を有して構成され、符号化された上りフレームを所定の波長の光信号に変換する。光送信部３２４で生成された光信号は、合分波部３３０を経て、ＯＬＴ２００に送られる。
【００５９】
なお、ＯＮＵ３００は、制御信号処理部３４０を備えている。制御信号処理部３４０は、上り信号の送信帯域及び送信タイミングの制御など、ＯＬＴとＯＮＵの間で送受信される信号に関する制御を行う。
【００６０】
これら、ＯＮＵ及びＯＬＴの構成は、従来周知の構成とすることできる。なお、制御信号処理部２４０及び３４０は例えば、ＣＰＵで構成される。制御信号処理部２４０及び３４０は、所定のプログラムを実行することで、様々な機能手段を実現する。この機能手段の中で、従来の構成と異なる点については、後述する。また、記憶部２５０及び３５０は、例えばＲＡＭやＲＯＭなどで構成される。制御信号処理部２４０及び３４０が実行するプログラムは、記憶部２５０及び３５０に格納されている。
【００６１】
第１実施形態のＯＮＵ３００では、制御信号処理部（加入者側制御部と称する。）３４０が、所定のプログラムを実行することにより、機能手段として、ディスカバリフラグ判定手段３４２と、ランダムディレイ挿入手段３４４と、ディスカバリフラグ更新手段３４６と、信号判定手段３４８とを実現する。また、記憶部３５０には、ディスカバリフラグが読出し及び書換え自在に格納されている。ディスカバリフラグは、オンとオフの２値をとる。
【００６２】
ディスカバリフラグ判定手段３４２は、記憶部３５０に格納されているディスカバリフラグがオンであるかオフであるかを判定する。
【００６３】
ランダムディレイ挿入手段３４４は、乱数演算を行う機能を有している。なお、乱数演算は任意好適な従来周知の方法で行えばよく、記憶部３５０に乱数表を格納しておき、この乱数表を用いて乱数を発生させることができる。ランダムディレイ挿入手段３４４は、乱数演算の結果に従って、ランダムディレイを生成する。ＯＮＵ３００は、ディスカバリゲート信号を受け取ったときに、ランダムディレイの分だけ遅延させて、レジスタリクエスト信号をＯＬＴ２００に送信するので、このランダムディレイ挿入手段３４４により、レジスタリクエスト信号を送信するタイミングが制御される。
【００６４】
ディスカバリフラグ更新手段３４６は、記憶部３５０に格納されている、ディスカバリフラグを、オン及びオフのいずれかに設定して更新する。
【００６５】
信号判定手段３４８は、ＯＬＴ２００から受信する信号が、レジスタ信号であるかディスカバリゲート信号であるかを判定する。
【００６６】
（第１実施形態の動作）
図３及び４を参照して、第１実施形態のディスカバリシーケンスについて説明する。
【００６７】
ディスカバリシーケンスは、例えば、未登録のＯＮＵをネットワークに接続し、起動した場合に行われる。また、登録済みのＯＮＵを再起動する場合は、当該ＯＮＵは未登録となり、ディスカバリシーケンスにより再び登録される。初期状態では、ディスカバリフラグはオフとなっている。
【００６８】
先ず、ディスカバリゲート受信過程（Ｓ１０）において、未登録のＯＮＵは、ＯＬＴからディスカバリゲート信号を受信する。ＯＬＴは周期的（ディスカバリ周期ごと）にディスカバリゲート信号をブロードキャスト送信している。ＯＮＵが受信したディスカバリゲート信号は、加入者側制御部３４０に送られる。
【００６９】
次に、ディスカバリゲート信号の受信に応答して、ディスカバリフラグ判定過程（Ｓ２０）が行われる。ディスカバリフラグ判定過程（Ｓ２０）において、加入者側制御部３４０のディスカバリフラグ判定手段３４２は、記憶部３５０に格納されているディスカバリフラグがオンであるかオフであるかを判定する。
【００７０】
ディスカバリフラグがオンであるときは、ランダムディレイの挿入が行われる（Ｓ３０）。この過程（Ｓ３０）では、ランダムディレイ挿入手段３４４は、乱数演算を行ってランダムディレイの大きさを決定する。なお、ディスカバリゲート信号には、ディスカバリウィンドウの幅などの情報が含まれている。ランダムディレイ挿入手段３４４は、ディスカバリウィンドウが開いている間に、レジスタリクエスト信号が送られるように、ディレイの大きさを設定する。
【００７１】
一方、ディスカバリフラグがオフであるときは、ディスカバリフラグ更新手段３４６は、記憶部３５０に格納されている、ディスカバリフラグを、オンに設定してフラグを更新する（Ｓ４０）。このときは、ランダムディレイ挿入手段によるランダムディレイの大きさの決定はなされない。
【００７２】
次に、レジスタリクエスト送信過程（Ｓ５０）において、レジスタリクエスト信号をＯＬＴに対して送信する。Ｓ２０の判定の結果、ディスカバリフラグがオンであるときは、レジスタリクエスト信号にはランダムディレイが挿入される。すなわち、ランダムディレイの分だけ遅延してＯＬＴに送られる。Ｓ２０の判定の結果、ディスカバリフラグがオフであるときは、ディスカバリゲート信号を受け取ったＯＮＵは、レジスタリクエスト信号を生成後、ただちにＯＬＴに対してレジスタリクエスト信号を送信する。レジスタリクエスト信号には、ＯＮＵの個体識別番号としてのＭＡＣアドレスが含まれている。
【００７３】
ＯＬＴは、レジスタリクエスト信号を受信することで、ＯＮＵのＭＡＣアドレスを認識する。ＯＬＴは、そのＭＡＣアドレス宛に、レジスタ信号を送る。レジスタ信号には、ＰＯＮシステムにおけるリンク番号（ＬＬＩＤ）が含まれている。  
【００７４】
また、ＯＬＴは、レジスタ信号の送信に続いて、送信帯域及び送信タイミングを通知して、上り信号の送信を許可するゲート信号をＯＮＵに送る。
【００７５】
一方、レジスタリクエスト信号が衝突した場合など、ＯＬＴがレジスタリクエスト信号を正常に受信していない場合は、ＯＬＴはレジスタ信号やゲート信号を当該ＯＮＵに送ることなく、次のディスカバリ周期でディスカバリゲート信号を全ＯＮＵにブロードキャスト送信する。
【００７６】
そこで、ＯＮＵは、信号判定過程（Ｓ６０）において、ＯＬＴから受信する信号が、レジスタ信号であるか否か、すなわち、レジスタ信号（Ｙｅｓ）であるかディスカバリゲート信号（Ｎｏ）であるかを判定する。
【００７７】
受信した信号がレジスタ信号であるときは、ＯＬＴがレジスタリクエスト信号を受信しているときなので、ＯＮＵは、ゲート信号で設定されている条件でレジスタアック（ＡＣＫ）信号をＯＬＴに対して送信する（Ｓ７０）。また、ＯＮＵのディスカバリフラグ更新手段は、ディスカバリフラグをオフとしてディスカバリシーケンスを終了する。ＯＬＴでは、レジスタアック信号を受信すると、ディスカバリシーケンスが終了する。
【００７８】
信号判定過程（Ｓ６０）での判定の結果、ディスカバリゲート信号を受信したときは、ディスカバリフラグ判定過程Ｓ２０を行う。なお、ＯＮＵが初めてディスカバリゲート信号を受信するときは、ディスカバリフラグがオフとなっているので、ランダムディレイ未挿入で、レジスタリクエスト信号が送信されるが、２回目以降は、ディスカバリフラグがオンとなっている。このため、レジストリクエスト信号に、衝突が発生したと考えられるので、ランダムディレイを挿入してレジスタリクエスト信号がＯＬＴに送られる。
【００７９】
この場合、ＯＬＴではディスカバリウィンドウが開いている時間を従来の構成に比べて短くすることができる。従来の構成では、ディスカバリウィンドウが開く時間幅は、ＯＬＴに接続可能な全てのＯＮＵに対してディスカバリシーケンスを行う時間、ＯＬＴとＯＮＵとの行路差、ランダムディレイの最大値等から算出して決定するのが一般的である。
【００８０】
しかし、ＯＮＵを増設する場合に、同時に複数のＯＮＵを接続して起動する確率は非常に低い。また、衝突が起こるには、同時に起動する複数のＯＮＵが、ＯＬＴから等しい距離にある場合であり、この確率はさらに低くなる。
【００８１】
従って、ランダムディレイを非挿入としても、衝突する確率は低い。また、衝突が起こった場合は、ランダムディレイの挿入が必要になるが、ランダムディレイの大きさは小さくて良い。
【００８２】
例えば、従来の構成では、最大行路と最小行路の差分に対応する時間と、ＯＮＵでの内部処理時間と、ランダムディレイの最大値とで、１ｍｓのディスカバリ周期に対して、２００μｓ程度のディスカバリウィンドウを設定している。
【００８３】
これに対し、この実施形態の構成では、最大行路と最小行路の差分に対応する時間と、ＯＮＵでの内部処理時間とは、従来の構成と同じであるが、ランダムディレイの最大値を小さくすることができ、例えば、５０μｓ程度にしても良い。
【００８４】
このように、ディスカバリウィンドウの幅を狭くすることができ、それにより、伝送可能帯域を広げ、通信効率を向上させることができる。
【００８５】
また、通信効率を向上させると、通信機器の消費電力の低減する効果も得られ、さらに、局舎の電源設備の縮小化及び空冷施設の縮小化や、これに伴う、さらなる消費電力の低減も可能となる。
【００８６】
なお、ここでは、ディスカバリウィンドウが開く時間幅が、固定されているものとして説明したが、可変としても良い。
【００８７】
ＯＬＴでは、収容可能な最大のＯＮＵの数（最大収容数）と、登録済みのＯＮＵの数（登録ＯＮＵ数）から、同時に登録可能な最大のＯＮＵの数（登録可能台数＝最大収容数−登録ＯＮＵ数）を把握できる。
【００８８】
この場合、ＯＬＴ２００の制御信号処理部２４０が、ディスカバリウィンドウ変更手段２４４を有する構成にすれよい。ディスカバリウィンドウ変更手段２４４は、ＯＮＵの登録可能台数が多いときは、ディスカバリウィンドウの時間幅を大きくし、登録可能台数が少ないときは、ディスカバリウィンドウの時間幅を小さくする。
【００８９】
このようにディスカバリウィンドウの開く時間幅を可変とすることで、効率的なＯＮＵの登録が可能になるとともに、通信効率を高めることができる。
【００９０】
一方、ディスカバリウィンドウの幅を固定にすると、ＯＬＴのハードウェアやファームウェアが小規模になるという効果がある。
【００９１】
また、ＯＬＴが、ディスカバリ周期変更手段２４２を有する構成にしても良い。ディスカバリ周期変更手段２４２は、ＯＮＵの登録可能台数が多いときは、ディスカバリゲートの送信周期を短くし、登録可能台数が少ないときは、ディスカバリゲートの送信周期を長くする。
【００９２】
例えば、登録可能台数が最大のとき、すなわち、登録ＯＮＵ数が０台で、登録可能台数が最大収容数に等しいときのディスカバリ周期を１としたとき、登録可能台数が最大収容数の１／２のとき、ディスカバリ周期を２とし、登録可能台数が最大収容数の１／４のとき、ディスカバリ周期を４とし、登録可能台数とディスカバリ周期が反比例の関係になるように、ディスカバリ周期を変化させる。
【００９３】
登録可能台数が少ないときは、ディスカバリ周期を長くしても、衝突で失敗する可能性が低いので、登録に要する時間は大きく変わらない。一方、登録可能台数が多いときは、衝突で失敗する可能性が高くなるので、ディスカバリ周期を短くして、再登録までの時間を短くするのが良い。
【００９４】
なお、登録可能台数が０台のときは、ディスカバリゲート信号を送信しないように設定することもできる。
【００９５】
（第２実施形態の構成）
図５を参照して第２実施形態の構成について説明する。第２実施形態では、第１実施形態の構成に比べて、ＯＮＵ３００の加入者側制御部３４０が、機能手段として、失敗フラグ判定手段３４３と、失敗フラグ更新手段３４７と、再登録判定手段３４９とをさらに実現する点が異なっている。また、記憶部３５０には、さらに失敗フラグが読出し及び書換え自在に格納されている。失敗フラグは、オンとオフの２値をとる。失敗フラグがオンとは、過去のディスカバリシーケンスでレジスタリクエスト送信時の衝突による失敗があったことを示す。一方、失敗フラグがオフの場合は、過去のディスカバリシーケンスでレジスタリクエスト送信時の衝突による失敗がなかったことを示す。当該ＯＮＵ３００が始めて登録される場合は、失敗フラグはオフとなっている。
【００９６】
失敗フラグ判定手段３４３は、記憶部３５０に格納されている失敗フラグがオンであるかオフであるかを判定する。
【００９７】
失敗フラグ更新手段３４７は、記憶部３５０に格納されている、ディスカバリフラグを、オンに設定して更新する。
【００９８】
再登録判定手段３４９は、ネットワークに一度登録されたＯＮＵの全てを、同時に登録するか否かを判定する。再登録判定手段３４９は、ＯＬＴとの接続が切断された場合、例えば、ＰＯＮリンク断の場合や、ＯＬＴの電源がオフになった場合に、自己のＯＮＵを含めて全てのＯＮＵを再登録すると判定する。ＰＯＮリンク断が起こったか否かは、ＯＬＴからの信号の有無により判定される。
【００９９】
（第２実施形態の動作）
図６を参照して、第２実施形態のディスカバリシーケンスについて説明する。
【０１００】
ディスカバリシーケンスは、再登録判定手段により、ネットワークに接続されている全てのＯＮＵを再登録する場合に、各ＯＮＵで行われる。
【０１０１】
先ず、ディスカバリゲート受信過程（Ｓ１０）において、ＯＮＵは、ＯＬＴからディスカバリゲート信号を受信する。ＯＬＴは周期的にディスカバリゲート信号をブロードキャスト送信している。ＯＮＵが受信したディスカバリゲート信号は、加入者側制御部３４０に送られる。
【０１０２】
次に、失敗フラグ判定過程（Ｓ２５）において、加入者側制御部３４０の失敗フラグ判定手段３４３は、ディスカバリゲート信号の受信に応答して、失敗フラグがオンであるかオフであるかを判定する。
【０１０３】
失敗フラグがオンであるときは、ディスカバリフラグがオンであるかオフであるかに関わらず、ランダムディレイの挿入が行われる（Ｓ３０）。この過程（Ｓ３０）では、ランダムディレイ挿入手段３４４は、乱数演算を行ってランダムディレイの大きさを決定する。    
【０１０４】
一方、失敗フラグがオフであるときは、ディスカバリフラグ更新手段３４６は、ディスカバリフラグがオンであるかオフであるかに関わらず、ランダムディレイの大きさは決定されない。
【０１０５】
次に、レジスタリクエスト送信過程（Ｓ５０）において、レジスタリクエスト信号をＯＬＴに対して送信する。Ｓ２５の判定の結果、失敗フラグがオンであるときは、レジスタリクエスト信号にはランダムディレイが挿入される。すなわち、ランダムディレイの分だけ遅延してＯＬＴに送られる。Ｓ２５の判定の結果、失敗フラグがオフであるときは、ディスカバリゲート信号を受け取ったＯＮＵは、レジスタリクエスト信号を生成後、ただちにＯＬＴに対してレジスタリクエスト信号を送信する。
【０１０６】
ＯＬＴは、レジスタリクエスト信号を受信することで、ＯＮＵのＭＡＣアドレスを認識する。ＯＬＴは、そのＭＡＣアドレス宛に、レジスタ信号を送る。また、ＯＬＴは、レジスタ信号の送信に続いて、送信帯域及び送信タイミングを通知して、上り信号の送信を許可するゲート信号をＯＮＵに送る。
【０１０７】
一方、レジスタリクエスト信号が衝突した場合など、ＯＬＴがレジスタリクエスト信号を正常に受信していない場合は、ＯＬＴはレジスタ信号やゲート信号を当該ＯＮＵに送ることなく、次のディスカバリ周期でディスカバリゲート信号を全ＯＮＵにブロードキャスト送信する。
【０１０８】
そこで、ＯＮＵは、信号判定過程（Ｓ６０）において、ＯＬＴから受信する信号が、レジスタ信号であるかディスカバリゲート信号であるかを判定する。
【０１０９】
信号がレジスタ信号であるときは、ＯＬＴがレジスタリクエスト信号を受信しているので、ゲート信号で設定されている条件でレジスタアック（ＡＣＫ）信号をＯＬＴに対して送信する（Ｓ７０）。ＯＬＴがレジスタアック信号を受信すると、ディスカバリシーケンスが終了する。
【０１１０】
信号判定過程（Ｓ６０）での判定の結果、信号がディスカバリゲート信号であるときは、失敗フラグ更新手段が、Ｓ８０において、失敗フラグをオンに設定した後、失敗フラグ判定過程（Ｓ２５）を行う。
【０１１１】
全てのＯＮＵを再登録する場合は、第１実施形態に比べてレジスタリクエスト信号の衝突の可能性が高い。そこで、衝突を避けるためのランダムディレイを挿入して、ディスカバリシーケンスをより早く完了させる。
【０１１２】
全てのＯＮＵを再登録した後は、第１実施形態と同様のディスカバリシーケンスを行えば良い。
【０１１３】
このとき、ＯＬＴでは、ディスカバリウィンドウを広く設定するのが良い。この全てのＯＮＵを再登録する場合は、ＯＬＴの電源がオフになった場合など、通信が行われていない状態である。従って、ディスカバリウィンドウを広くすることによる通信効率の低下の影響は考慮する必要がない。このため、ディスカバリウィンドウを広くし、より多くのＯＮＵを登録することが重要となる。
【０１１４】
なお、ＯＬＴのディスカバリウィンドウ変更手段は、ＯＬＴの電源がオフからオンになった場合、あるいは、全てのＯＮＵからの信号を受信していない状態、すなわちＰＯＮリンク断の状態から復旧する場合に、ディスカバリウィンドウの幅を拡幅する。
【０１１５】
再登録時の拡幅されたディスカバリウィンドウの幅は、例えば、従来のディスカバリウィンドウと同様にすれば良い。
【０１１６】
その後、ＯＬＴでは、拡幅されたディスカバリウィンドウの幅を、狭い幅に戻す必要がある。この変更は、任意好適なタイミングで行えば良い。例えば、ディスカバリウィンドウを拡幅した後、あらかじめ設定した一定期間を経過した後、元のウィンドウ幅に戻せば良い。
【０１１７】
または、再登録直前のＯＮＵの登録台数に等しい数、あるいは、再登録直前のＯＮＵの登録台数に対して所定の割合のＯＮＵが登録された時点で元のウィンドウ幅に戻しても良い。
【０１１８】
なお、失敗フラグが格納される記憶部の領域を、フラッシュメモリやＥＥＲＯＭなど、電源が切れても記憶内容を保持できる不揮発性メモリにするのが良い。
【符号の説明】
【０１１９】
１００    ＰＯＮシステム
２００    ＯＬＴ
２０２    上位ネットワーク側受信部
２０４    上位ネットワーク側送信部
２０６、３０６    データ中継処理部
２１２、３１２    ＰＯＮ側受信部
２１４、３１４    ＰＯＮ側送信部
２２２、３２２    光受信部
２２４、３２４    光送信部
２３０、３３０    合分波部
２４０、３４０    制御信号処理部
２４２    ディスカバリウィンドウ変更手段
２４４    ディスカバリ周期変更手段
２５０、３５０    記憶部
３００    ＯＮＵ
３０２    ユーザネットワーク側受信部
３０４    ユーザネットワーク側送信部
３４２    ディスカバリフラグ判定手段
３４３    失敗フラグ判定手段
３４４    ランダムディレイ挿入手段
３４６    ディスカバリフラグ更新手段
３４７    失敗フラグ更新手段
３４８    信号判定手段
３４９    再登録判定手段
４００    光スプリッタ
【図１】
2010278525.tif 000003
【図２】
2010278525.tif 000004
【図３】
2010278525.tif 000005
【図４】
2010278525.tif 000006
【図５】
2010278525.tif 000007
【図６】
2010278525.tif 000008
【図７】
2010278525.tif 000009
【図８】
2010278525.tif 000010